(57)【要約】      （修正有）【課題】採血した血の体内への逆流防止及び真空採血管の内容物のキャリーオーバー（持ち越し混入）防止を行い、かつ作業者（採血者）が片方の手を自由に動かすことができ、作業効率を向上させることのできるスタンドを提供する。【解決手段】スタンドは、可撓性を有するチューブ及び採血ホルダーを介して採血針と接続される真空採血管の保持に適用可能なスタンドであって、前記スタンドは、台座と、前記台座から上方に立ち上がるように設けられた弾性体とを有し、前記台座は、前記真空採血管の底部を受け入れ可能な管底受入れ構造を有する。前記弾性体は、前記採血管が挿入される前記採血ホルダーの上部を自身の弾性により押さえ可能な押さえ構造を有し、前記管底受入れ構造と前記採血ホルダー押さえ構造は、これらの間に前記採血ホルダー付きの前記真空採血管を斜め上向きの状態で着脱可能に押し込めるよう配置されている。【選択図】図１Ｂ
2014223122.tif 000002
【特許請求の範囲】
【請求項１】
可撓性を有するチューブ及び採血ホルダーを介して採血針と接続される真空採血管の保持に適用可能なスタンドであって、
前記スタンドは、台座と、前記台座から上方に立ち上がるように設けられた弾性体とを有し、
前記台座は、前記真空採血管の底部を受け入れ可能な管底受入れ構造を有し、前記弾性体は、前記採血管が挿入される前記採血ホルダーの上部を自身の弾性により押さえ可能な押さえ構造を有し、
前記管底受入れ構造と前記採血ホルダー押さえ構造は、これらの間に前記採血ホルダー付きの前記真空採血管を斜め上向きの状態で着脱可能に押し込めるよう配置されていることを特徴とするスタンド。
【請求項２】
請求項１に記載のスタンドであって、
前記弾性体は、前記台座の一辺側に設けられ、前記採血ホルダー押さえ構造のホルダー押さえ面を延長した仮想面と前記台座の上面を延長した仮想面との交わる角度が鋭角をなし、前記採血ホルダー押さえ構造と前記管底受入れ構造間の距離は、それらの間に前記採血ホルダー付きの前記真空採血管を押し込む前は、前記採血ホルダー付きの前記真空採血管の長さより短くしてあり、
前記採血ホルダー押さえ構造と前記管底受入れ構造とにより、前記採血ホルダー付きの前記真空採血管を保持したときに、前記真空採血管が前記台座に対して前記弾性体の方向に鋭角をなして傾斜して保持されていることを特徴とするスタンド。
【請求項３】
請求項２に記載のスタンドであって、前記真空採血管が前記台座に対してなす前記鋭角が30〜50°であることを特徴とするスタンド。
【請求項４】
請求項２に記載のスタンドであって、前記真空採血管が前記台座に対してなす前記鋭角が40〜45°であることを特徴とするスタンド。
【請求項５】
請求項１ないし４のいずれかに記載のスタンドであって、
前記弾性体は、板状の部材であり、
前記採血ホルダー押さえ構造は、前記板状の部材の上部に設けられた傾斜面であることを特徴とするスタンド。
【請求項６】
請求項１ないし５のいずれかに記載のスタンドであって、
前記台座と前記弾性体とが同じ材料で一体に成形されていることを特徴とするスタンド。
【請求項７】
請求項１ないし４のいずれかに記載のスタンドであって、
前記弾性体は、線材であり、
前記採血ホルダー押さえ構造が、前記線材で形成された切欠部であることを特徴とするスタンド。
【請求項８】
請求項１ないし７のいずれかに記載のスタンドであって、
前記弾性体が、シリコン又はアルミニウムのいずれかであることを特徴とするスタンド。
【請求項９】
請求項１ないし８のいずれかに記載のスタンドであって、
前記管底受入れ構造は、前記台座上面に設けられた窪みであることを特徴とするスタンド。
【請求項１０】
請求項１ないし９のいずれかに記載のスタンドであって、
前記台座は、複数の前記管底受入れ構造を備え、前記複数の管底受入れ構造が縦方向に一列に並んでいることを特徴とするスタンド。
【請求項１１】
請求項１ないし８のいずれかに記載のスタンドであって、
前記管底受入れ構造は、前記台座上面の横方向全体に設けられた溝であることを特徴とする試料容器スタンド。
【請求項１２】
請求項１ない１１のいずれかに記載のスタンドであって、
前記スタンドは、前記管底受入れ構造と前記採血ホルダー押さえ構造で保持される前記採血ホルダー付きの前記真空採血管とは別に、さらに真空採血管を保持するための真空採血管保管構造を有することを特徴とするスタンド。
【発明の詳細な説明】
【技術分野】
【０００１】
本発明は、可撓性を有するチューブ及び採血ホルダーを介して例えば翼状針のような採血針と接続される真空採血管の保持に適用可能なスタンドに係り、特に採血中に用いる真空採血管のスタンドに関する。なお、ここで、真空採血管とは、採血管内を減圧することにより自動的に血液を採取できるようにした採血管を意味する。
【背景技術】
【０００２】
現在、静脈血を真空採血する方式として、代表的なものに、直針を用いた採血法（真空採血管、採血ホルダー、アダプター及び直針を組み合わせた採血セットを用いる採血法）と、翼状針を用いた採血法（可撓性を有するチューブ及び採血ホルダーを介して翼状針を真空採血管と接続した採血セットを用いる採血法）とがある。
【０００３】
直針を用いた静脈血の採血法においては、標準法に準拠された採血を進めるにあたり「アームダウン」方式が推奨されている。アームダウンとは、手が心臓より下にあり腕全体が伸展した状態をいう。「アームダウン」方式では、真空採血管の管底が穿刺部位より低くなるようにすることで、（i）採血した血の体内への逆流を防止し、真空採血管の内容物の血管への逆流によるアレルギーや毒性物質の混入を防止することができる。また、（ii）真空採血管に採血した血や個々の検査に適した真空採血管特有の抗凝固剤や凝固促進剤が採血ホルダー内の導針（導針は真空採血管を採血ホルダーに挿入するとスリーブから露出して真空採血管内に導入される針である）に付着することを防止し、それにより次の真空採血管への差し替え時にキャリーオーバー（真空採血管の内容物の持ち越し混入）を防止することができる。
【０００４】
しかしながら、現状では一般的な直針採血では被採血者の体格を配慮し、椅子の高さ、枕の高さが適宜調整されるが、被採血者の人間工学的な部分から採血台と枕の高さには採血者特有の問題（例えば、腰痛等の体の疾患や体格）を考慮しなければならず、アームダウンの形を確保することと、採血針を穿刺可能な血管の確保とを両立することが困難なケースが発生している。
【０００５】
そこで、患者が「アームダウン」の体勢を維持するために、採血時に使用する枕、椅子、机等を調整する工夫がなされている。例えば特許文献１（特開2011-188968号公報）には、患者がアームダウンの体勢を容易に維持することができる採血用枕が開示されている。
【先行技術文献】
【特許文献】
【０００６】
【特許文献１】特開２０１１‐１８８９６８号公報
【発明の概要】
【発明が解決しようとする課題】
【０００７】
しかしながら、特許文献１に記載の方法では、患者の体格差による調整を行うことが難しく、また患者が変わるたびに調整を行うことは採血時間を増大させる原因になる。
【０００８】
一方、翼状針を用いる採血方法は、上記の問題点を改善することができる。翼状針を用いる採血方法では、翼状の穿刺針をそれから離した真空採血管と可撓性のチューブ及びジョイント部（アダプター及び採血ホルダー）を介して接続したものであり、フレキシブル性に富むため、手元で採血管底を下にした状態を作り出すことができる。
【０００９】
採血針として翼状針を用いる場合、直針を用いる場合のように被採血者の体勢を「アームダウン」に固定する必要はないが、代わりに上記（i）及び（ii）の対策として、（i）’真空採血管を手で持ち、管底を採血部位より下に固定するよう、手で保持しなければならないこと、及び（ii）’血流圧や真空採血管の栓との兼ね合いで、真空採血管を採血ホルダーに差し込んだ際、押し戻されるのを手で防ぐことが必要になる。このため、現状では、採血者は片方の手で被採血者に穿刺した針を抑え、もう片方の手で真空採血管を保持し、管底を採血部位より下に固定しながら、かつ管底を上方向に押さえ付けなければならない体勢となる。しかしながら、この体勢では採血者は両方の手がふさがっているため、例えば、被採血者の容体が急変した際の対応が遅れる原因になる。被採血者を採血台に呼び込んでからの3ないし5分前後でおこなわれる採血業務は、安全安心信頼を旨として行わなければならない。また、採血者の両方の手がふさがっているために作業効率が低下する。さらに、採血者は穿刺している針に意識を集中させる傾向があるため、試料容器を保持する手に意識が集中せず、不意に真空採血管が傾いたり、真空採血管を下から押し上げる力が弱くなってしまうおそれがある。
【００１０】
本願発明の目的は、以上の事情に鑑み、真空採血管をスタンドに保持することで、確実に（i）採血した血の体内への逆流防止、及び（ii）真空採血管の内容物のキャリーオーバー（持ち越し混入）防止を行い、かつ作業者（採血者）の片方の手を自由に動かすことができるようにすることで、作業者の作業効率を向上させることのできるスタンドを提供することにある。
【課題を解決するための手段】
【００１１】
本発明の一態様は、上記目的を達成するため、
可撓性を有するチューブ及び採血ホルダーを介して採血針と接続される真空採血管の保持に適用可能なスタンドであって、
前記スタンドは、台座と、前記台座から上方に立ち上がるように設けられた弾性体とを有し、
前記台座は、前記真空採血管の底部を受け入れ可能な管底受入れ構造を有し、前記弾性体は、前記採血管が挿入される前記採血ホルダーの上部を自身の弾性により押さえ可能な押さえ構造を有し、
前記管底受入れ構造と前記採血ホルダー押さえ構造は、これらの間に前記採血ホルダー付きの前記真空採血管を斜め上向きの状態で着脱可能に押し込めるよう配置されていることを特徴とするスタンドを提供する。
【発明の効果】
【００１２】
本発明によれば、真空採血管をスタンドに保持することで、確実に（i）採血した血の体内への逆流防止、及び（ii）真空採血管の内容物のキャリーオーバー（持ち越し混入）防止を行い、かつ作業者（採血者）の片方の手を自由に動かすことができるようにすることで、作業者の作業効率を向上させることのできるスタンドを提供することができる。
【図面の簡単な説明】
【００１３】
【図１Ａ】本発明に係るスタンドの第１の形態を模式的に示す斜視図である。
【図１Ｂ】本発明に係るスタンドの第１の形態を模式的に示す側面図である。
【図１Ｃ】本発明に係るスタンドの第１の形態を模式的に示す平面図である。
【図１Ｄ】本発明に係るスタンドの第１の形態を模式的に示す正面図である。
【図２】本発明に係るスタンドの使用方法を模式的に示す図である。
【図３】本発明に係るスタンドの第２の形態を模式的に示す斜視図である。
【図４Ａ】本発明に係るスタンドの第３の形態を模式的に示す斜視図である。
【図４Ｂ】図４Ａの採血ホルダー上部保持部400を拡大した平面図である。
【図５】本発明に係るスタンドの第４の形態を模式的に示す斜視図である。
【図６】本発明に係るスタンドの第５の形態を模式的に示す平面図である。
【図７Ａ】本発明に係るスタンドの第６の形態を模式的に示す斜視図である。
【図７Ｂ】本発明に係るスタンドの第６の形態を模式的に示す側面図である。
【図７Ｃ】本発明に係るスタンドの第６の形態を模式的に示す斜視図である。
【発明を実施するための形態】
【００１４】
上述したように、本発明に係る真空採血管の保持に適用可能なスタンドは、
可撓性を有するチューブ及び採血ホルダーを介して採血針と接続される真空採血管の保持に適用可能なスタンドであって、
前記スタンドは、台座と、前記台座から上方に立ち上がるように設けられた弾性体とを有し、
前記台座は、前記真空採血管の底部を受け入れ可能な管底受入れ構造を有し、前記弾性体は、前記採血管が挿入される前記採血ホルダーの上部を自身の弾性により押さえ可能な押さえ構造を有し、
前記管底受入れ構造と前記採血ホルダー押さえ構造は、これらの間に前記採血ホルダー付きの前記真空採血管を斜め上向きの状態で着脱可能に押し込めるよう配置されていることを特徴とする。
【００１５】
また本発明は、上述したスタンドにおいて、以下のような態様を任意に含む。
（イ）前記弾性体は、前記台座の一辺側に設けられ、前記採血ホルダー押さえ構造のホルダー押さえ面を延長した仮想面と前記台座の上面を延長した仮想面との交わる角度が鋭角をなし、前記採血ホルダー押さえ構造と前記管底受入れ構造間の距離は、それらの間に前記採血ホルダー付きの前記真空採血管を押し込む前は、前記採血ホルダー付きの前記真空採血管の長さより短くしてあり、前記採血ホルダー押さえ構造と前記管底受入れ構造とにより、前記採血ホルダー付きの前記真空採血管を保持したときに、前記真空採血管が前記台座に対して前記弾性体の方向に鋭角をなして傾斜して保持されている。
（ロ）前記真空採血管が前記台座に対してなす前記鋭角が30〜50°である。
（ハ）前記真空採血管が前記台座に対してなす前記鋭角が40〜45°である。
（ニ）前記弾性体は、板状の部材であり、前記採血ホルダー押さえ構造は、前記板状の部材の上部に設けられた傾斜面である。
（ホ）前記台座と前記弾性体とが同じ材料で一体に成形されている。
（ヘ）前記弾性体は、線材であり、前記採血ホルダー押さえ構造が、前記線材で形成された切欠部である。
（ト）前記弾性体が、シリコン又はアルミニウムのいずれかである。
（チ）前記管底受入れ構造は、前記台座上面に設けられた窪みである。
（リ）前記台座は、複数の前記管底受入れ構造を備え、前記複数の管底受入れ構造が縦方向に一列に並んでいる。
（ヌ）前記管底受入れ構造は、前記台座上面の横方向全体に設けられた溝である。
（ル）前記スタンドは、前記管底受入れ構造と前記採血ホルダー押さえ構造で保持される前記採血ホルダー付きの前記真空採血管とは別に、さらに真空採血管を保持するための真空採血管保管構造を有する。
【００１６】
以下、本発明に係る実施形態、特にスタンドの構造及びスタンドに採血ホルダー付きの真空採血管を保持する方法について、図面を参照しながら詳細に説明する。ただし、本発明は、ここで取り上げた実施の形態に限定されるものではない。
【００１７】
［スタンドの第１の形態］
（スタンドの構成の概略）
図１Ａ〜Ｄは、それぞれ本発明に係るスタンドの第１の形態を模式的に示す斜視図、側面図、平面図及び正面図である。図１Ａ〜Ｄに示したように、本発明に係るスタンド10は、台座1と、台座1から上方に立ち上がるように設けられた弾性体2とを有する。また、台座1は、上面に真空採血管の底部を受け入れ可能な管底受入れ構造（真空採血管底面保持部）30（図１Ａ、Ｂ、Ｃでは真空採血管底面保持部（A）3及び真空採血管底面保持部（B）3’）を有し、弾性体2は、採血管が挿入される採血ホルダーの上部を自身の弾性により押さえ可能な押さえ構造（採血ホルダー上部保持部）4を有する。また、アダプターを保持するためのアダプター保持部90を有する。なお、図１Ｂ中一点鎖線で示す600は、採血セットの一部（真空採血管、採血ホルダー、アダプター）を模式的に示すものであり、スタンドに真空採血管を保持したときのスタンドと真空採血管との関係をわかりやすくするために図示したものである。
（真空採血管の保持方法）
図２は、本発明に係るスタンドの使用方法を模式的に示す図である。図２は翼状針を用いる採血方法の態様を示している。以下、図２に基づいて、翼状針を用いる採血方法の一般的な手順及び本発明に係るスタンドに真空採血管を保持する手順の一連の流れを説明する（ただし、血管を怒張させるための説明および穿刺部位表面の消毒などは省略している）。
（1）翼状針22、チューブ23、アダプター24、採血ホルダー25が一体となった採血セットと、ゴム栓26で密閉された真空採血管27を用意する。なお、採血ホルダー25は、真空採血管27が挿入される側にゴムスリーブ28で覆われた導針29を有する。
（2）枕21上に置かれた被採血者の腕20に翼状針22を穿刺する。
（3）真空採血管27を採血ホルダー25に挿入する。このとき、真空採血管27の挿入とともにゴムスリーブ28が収縮し、導針29が露出し、ゴム栓26を貫通する。また、収縮したゴムスリーブ28が真空採血管27を押し戻す力（真空採血管27を採血ホルダー25に挿入する方向と反対の方向に働く力）が生じる（キックバック）。
（4）被採血者の血液が、翼状針22、チューブ23及び導針29を介して真空採血管27に採血される。
（5）真空採血管27の底部を真空採血管底面保持部30（図２では真空採血管底面保持部（B）3’）に保持し、採血ホルダー25の上部を採血ホルダー上部保持部4に保持する。このとき、アダプター24が、アダプター保持部90に保持されるように設置する。
（6）真空採血管27に、検査に必要な量の血液を真空により採血後、真空採血管27をスタンドから外し、採血ホルダー25から抜く。
（7）さらに別の真空採血管に採血する必要がある場合には、真空採血管を変えて（3）〜（6）を繰り返す。採血を終了するときは、真空採血管27をスタンドから外し、採血ホルダー25から抜いた後、被採血者の腕20から翼状針22を抜く。
（8）次の被採血者の採血は（１）〜（７）の順に繰り返す。
【００１８】
上述したように真空採血管27をスタンド10に保持することで、真空採血管27の底面を確実に穿刺部位よりも低い位置で固定することができる。採血者が、真空採血管27を手で保持する必要が無いので、採血者の片手を空けることができ、作業効率の向上を図ることができる。例えば、被採血者の体動や急変を察知した際に、患者への対応、体を支えるなど迅速に行うことが出来る。また、空いている手で、採血後の真空採血管を振り、真空採血管内部の血液と薬剤とを混和する作業を行うことができる。さらに、採血者が被採血者に翼状針を穿刺する際に両手を使用できるので、穿刺をより確実に行うことができる。
【００１９】
採血ホルダー上部保持部4は、押さえ面を延長した仮想面と前記台座の上面を延長した仮想面との交わる角度が鋭角をなす。真空採血管底面保持部30と採血ホルダー上部保持部4との間の距離は、それらの間に採血ホルダー25付きの真空採血管27を押し込む前は、採血ホルダー25付きの真空採血管27の長さより短くしてあり、採血ホルダー上部保持部4に採血ホルダー25付きの真空採血管27を押し込む際、採血ホルダー上部保持部4が自身の弾性により変形し、採血ホルダー25付きの真空採血管27を保持する。また、採血ホルダー上部保持部4の弾性により、収縮したゴムスリーブ28が真空採血管27を押し戻す力（真空採血管27を採血ホルダー25に挿入する方向と反対の方向に働く力）を吸収することができる。採血者は、真空採血管27の管底を真空採血管底面保持部30に保持し、採血ホルダーの上部を採血ホルダー上部保持部4に押し込める動作を、片方の手でワンタッチで行うことができる。
【００２０】
真空採血管27は、台座1に対して、弾性体2の方向に鋭角（図２中の角度α）をなして傾斜して保持される。このように真空採血管27を所定の角度α傾けた状態で保持することで、採血者が、立った状態でも真空採血管27中の血液40の量を目視で確認しやすくし、かつ血液40の液面及び真空採血管27内に予め準備されている抗凝固剤や凝固促進剤が、ゴムスリーブ28や導針29に付着することを防ぎ、真空採血管の内容物が次の真空採血管の内容物に混入する、いわゆるキャリーオーバー（持ち越し混入）や体内への逆流を防ぐことができる。
【００２１】
角度αは、30〜50°（30°以上、50°以下）であることが好ましく、40〜45°（40°以上、45°以下）であることがより好ましい。30°より小さいと、真空採血管27中の血液40の液面が、ゴム栓26、ゴムスリーブ28及び導針29に付着するおそれがある。また50°より大きいと、真空採血管27に入っている血液40の量と、血液40の液面からゴム栓26までの空きスペースが目視で確認しづらい。つまり、採血者が、あとどのくらい血液を採血する必要があるか、目視で確認しづらくなる。
【００２２】
（スタンドの構成の詳細）
次に、スタンド10の詳細な構成について説明する。
【００２３】
台座1の大きさは特に限定はないが、採血に使用される作業台のサイズに合わせ、決定されることが好ましい。現実の採血室の作業台のサイズを考慮すると、長手が120 mm、短手が70 mmの長方形が好ましい。台座1に使用される材料も特に限定はないが、軟らかい材料であることが好ましい。これは、例えば被採血者が採血中に容体が急変して採血スタンドの上に倒れても、被採血者が受ける衝撃をできる限り低減するためである。軟らかい材料としては、弾性体が好適である。弾性体としては、例えばシリコンゴムが好適である。また、軟らかい金属（例えば、アルミニウム）を用いることもできる。台座1の材料として弾性体を用いる場合には、弾性体2と一体に成形することができる。弾性体2については、追って詳述する。
【００２４】
台座1は、上面に真空採血管の底部を受け入れ可能な管底受入れ構造（真空採血管底面保持部）30を有する。図１Ａでは、真空採血管底面保持部30は、真空採血管底面保持部（A）3及び真空採血管底面保持部（B）3’の２つからなる。このように真空採血管底面保持部30を複数用意することで、１つのスタンド10で、長さの異なる複数の真空採血管を保持することが可能となる。すなわち、短い真空採血管を採血ホルダー上部保持部4との距離が小さい真空採血管底面保持部（A）3に保持し、長い真空採血管を、採血ホルダー上部保持部4との距離が大きい真空採血管底面保持部（B）3’に保持することができる。スタンド10は、真空採血管底面保持部3,3’のサイズや、真空採血管底面保持部3,3’と採血ホルダー上部保持部4との距離を調整して設計することで、径や長さが異なる複数種の真空採血管を保持することが可能となる。
【００２５】
真空採血管底面保持部30の形状は特に限定はないが、図１Ａ〜Ｄのように、台座1の上面に設けられた窪みであることが好ましい。窪みは、台座1の上面に土手を形成して設けられるものでもよいし、台座1の上面を削って設けられるものでもよい。さらに、真空採血管の底面を保持しやすいように、窪みは完全な円形ではなく、半円状としてもよい。
【００２６】
真空採血管底面保持部30を複数設ける場合は、それらを縦方向に一列に並べることが好ましい。ここで本発明における縦方向及び横方向とは、図１Ａ中に矢印で示した方向である。すなわち、真空採血管底面保持部30と弾性体2とを結ぶ方向が縦方向で、縦方向に垂直な方向が横方向である。図１Ａ〜Ｄのように台座1が長方形である場合、長手方向が縦方向で、短手方向が横方向となる。真空採血管底面保持部30を横方向に並べると、台座1の横幅が大きくなり、作業性上、好ましくない。また、真空採血管底面保持部30が横方向に並んでいる場合、サイズの異なる試料容器を一見してどの真空採血管底面保持部30に置くべきか、迷いやすいおそれがある。
【００２７】
弾性体2は、台座1から上方に立ち上がるように設けられ、採血ホルダーの上部を自身の弾性により押さえ可能な押さえ構造（採血ホルダー上部保持部）4を有する。弾性体としては、前述したようにシリコンゴムや、アルミニウムなどの軟らかい金属が好適である。台座1と弾性体2とを同じ弾性体で作製する場合には、型を取って一体に成形することができ、大量生産する場合には製造がより容易になると考えられる。
【００２８】
採血ホルダー上部保持部4の形状は特に限定はないが、図１Ａ〜Ｄのように、弾性体2が板状の部材である場合には、採血ホルダー上部保持部4の押さえ面は、該押さえ面を延長した仮想面と前記台座の上面を延長した仮想面との交わる角度が鋭角をなすよう、傾斜していることが好ましい。
【００２９】
さらに、スタンド10は、真空採血管底面保持部30と採血ホルダー上部保持部4とで保持される真空採血管とは別に、さらに真空採血管を保持するための真空採血管保管構造（真空採血管保管部）5を任意に備えることができる。真空採血管保管部5には、次の採血に使用する空の真空採血管を保持しておくことが可能で、採血と採血の間の準備時間をできるだけ短縮し、採血作業の効率化を図ることができる。被採血者の血管が細い場合には、採血が中断してしまう場合があり、そのような場合に、真空採血管保管部5に予備の真空採血管を保持しておくことで、素早く差し替えることが可能となる。
【００３０】
また、採血後の真空採血管を保持することも可能である。この場合、真空採血管保管部5は、真空採血管保管部5に設置した真空採血管が傾斜して設置されるよう形成されていてもよい。このようにすることで、採血者が立ったままでも、真空採血管保管部5に保持された真空採血管の中の血液量を目視で確認しやすくなる。
【００３１】
図１Ａ〜Ｄに示した第１の実施形態のスタンド10では、台座のサイズを、縦120 mm、横70 mmとした。また、真空採血管底面保持部（A）3を12 mmφ、真空採血管底面保持部（B）3’を16 mmφの窪みとし、採血ホルダー上部保持部4の押さえ面を延長した仮想面と台座の上面を延長した仮想面との交わる角度を60°とした。また、真空採血管底面保持部（A）3と弾性体2との距離を45 mmとした。このようなサイズとすることで、国内で一般的に使用される３種類の真空採血管（（a）：ベノジェクト（登録商標）II VP-DK052K（テルモ株式会社製、 外径×長さ：13.2×78 mm、 採血量：2 ml）、（b）：ベノジェクト（登録商標）II VP-CA052K（テルモ株式会社製, 外径×長さ：13.2×78 mm, 採血量：2 ml）、（c）:インセパック（登録商標）II-D（積水メディカル株式会社、外径×長さ：17×107 mm、採血量：8ml）を保持することができる。すなわち、真空採血管（a）及び（b）を真空採血管底面保持部（A）3及び採血ホルダー上部保持部4で保持し、真空採血管（c）を真空採血管底面保持部（B）3’及び採血ホルダー上部保持部4で保持することができる。
【００３２】
［スタンドの第２の形態］
図３は本発明に係るスタンドの第２の形態を模式的に示す斜視図である。図３に示したように、本形態におけるスタンド100では、真空採血管底面保持部（A）301及び真空採血管底面保持部（B）301’を、台座1の横方向全体に設けた溝とした。このようにすることで、真空採血管底面を保持する領域が広くなり、設置しやすくなる。その他の構成については、上述した第１の形態と同様であるので、説明を省略する。
【００３３】
［スタンドの第３の形態］
図４Ａは本発明に係るスタンドの第３の形態を模式的に示す斜視図であり、図４Ｂは図４Ａの採血ホルダー上部保持部400を拡大した平面図である。図４Ａ及び４Ｂに示したように、本形態におけるスタンド101では、弾性体200を線材で構成し、さらに採血ホルダー上部保持部400を、線材で形成した切欠部とした。このように弾性体20を線材で構成することで、スタンド101を軽量化することができる。２つのパーツに分解、着脱が可能なため携帯しベッドサイドでの採血にも使用できる。その他の構成については、上述した第１の形態と同様であるので、説明を省略する。
【００３４】
［スタンドの第４の形態］
図５は本発明に係るスタンドの第４の形態を模式的に示す斜視図である。図５に示したように、本形態におけるスタンド102では、弾性体20を線材で構成し、さらに金属板（アルミ板）500で、弾性体20の間隙を埋めた。このような構成にすることで、チューブが線材に絡まることを防止し、作業効率を向上させることができる。その他の構成については、上述した第１の形態と同様であるので、説明を省略する。
【００３５】
［スタンドの第５の形態］
図６は本発明に係るスタンドの第５の形態を模式的に示す平面図である。図６に示したように、本形態におけるスタンド103は、弾性体2に、チューブ保持用の溝60を設けたものである。このようにチューブをチューブ保持用の溝60に保持しておくことで、チューブが採血作業の邪魔になることを防ぐことができる。その他の構成については、上述した第１の形態と同様であるので、説明を省略する。
【００３６】
［スタンドの第６の形態］
図７Ａ及び７Ｃは、本発明に係るスタンドの第６の形態を模式的に示す斜視図であり、図７Ｂは、本発明に係るスタンドの第６の形態を模式的に示す側面図である。図７Ａ〜Ｃに示したように、本実施形態に係るスタンド104は、台座107及び弾性体70をアルミニウムで形成したものである。また、台座107の滑り止めとして、シリコンゴム80を設けた。真空採血管底面保持部（A）73及び真空採血管底面保持部（B）73’は、アルミニウムを折り曲げて形成した溝である。また、弾性体70の上部を折り曲げ、採血ホルダー上部保持部74とした。全体は溶接をすることなく１枚板を折り曲げて形成できるようにした。
【００３７】
なお、図７Ａ及び図７Ｂは、真空採血管を真空採血管底面保持部（B）73’に保持した場合の図であり、図７Ｃは、真空採血管を真空採血管底面保持部（A）73に保持した場合の図である。その他の構成については、上述した第１の形態と同様であるので、説明を省略する。
【００３８】
以上説明したように、本発明によれば、真空採血管をスタンドに保持することで、確実に（i）採血した血の体内への逆流防止、及び（ii）真空採血管の内容物のキャリーオーバー（持ち越し混入）防止を行い、かつ作業者（採血者）の片方の手を自由に動かすことができるようにすることで、作業者の作業効率を向上させることのできるスタンドを提供することができる。
【００３９】
また本発明に係るスタンドは、台座1を有することで作業台に安定して設置することができる。また、持ち運びが可能なサイズである。
【００４０】
さらに、本発明のスタンドには、自由なデザイン処理を施すことが可能である。例えば、スタンドに商標を付することによって、製造元や販売元等の宣伝広告機能を持たせることも可能である。また、著名なキャラクターのデザインを施すことによって、児童に安心感を与えながら採血を行うことが可能となる。
【符号の説明】
【００４１】
1,107…台座、2,20,200,70…弾性体、30,300,700…真空採血管底面保持部、3,73,301…真空採血管底面保持部（A）、3’,73’,301’… 真空採血管底面保持部（B）、4, 74,400…採血ホルダー上部保持部、5…試料容器保管部、10,100,101,102,103,104…スタンド、20…被採血者の腕、21…枕、22…翼状針、23…チューブ、24…アダプター、25…採血ホルダー、26…ゴム栓、27…真空採血管、28…ゴムスリーブ、29…導針、40…血液、60…チューブ保持用の溝、80…シリコンゴム、90…アダプター保持部、500…アルミ板、600…採血セットの一部。
【図１Ａ】
2014223122.tif 000003
【図１Ｂ】
2014223122.tif 000004
【図１Ｃ】
2014223122.tif 000005
【図１Ｄ】
2014223122.tif 000006
【図２】
2014223122.tif 000007
【図３】
2014223122.tif 000008
【図４Ａ】
2014223122.tif 000009
【図４Ｂ】
2014223122.tif 000010
【図５】
2014223122.tif 000011
【図６】
2014223122.tif 000012
【図７Ａ】
2014223122.tif 000013
【図７Ｂ】
2014223122.tif 000014
【図７Ｃ】
2014223122.tif 000015